(57)【要約】【課題】装着が容易であり、且つ歩行、屈伸動作によっても締付用帯部がずれることのない膝関節用サポータを提供する【解決手段】背面帯本体の両側に膝の上下に巻きつける締付用帯部２を二股状に連設して、前記各締付用帯部２の先端内面に面ファスナー雄部３を設けて、また、各締付用帯部の外面側には前記面ファスナー雄部３が係止できる面ファスナー雌部を形成して、膝の上下において夫々向かい合う締付用帯部２、２の先端側を重ね合わせて装着する膝関節用サポータであって、前記内側に重ね合わせた締付用帯部２の先端を折り返して重合させてパット部２０を形成して装着する。【選択図】図４
2014061139.tif 000002
【特許請求の範囲】
【請求項１】
背面帯本体の両側に膝の上下に巻きつける締付用帯部を二股状に連設して、前記各締付用帯部の先端内面に面ファスナー雄部を設けて、また、各締付用帯部の外面側には前記面ファスナー雄部が係止できる面ファスナー雌部を形成して、膝の上下において夫々向かい合う締付用帯部の先端側を重ね合わせて、外側に重ねた締付用帯部の先端内面に設けた面ファスナー雄部を内側に重ねた締付用帯部の外面側に形成した面ファスナー雌部に係止して装着する膝関節用サポータであって、前記各締付用帯部の先端を折り返して重合させてパット部を形成できるものとして、前記内側に重ね合わせた締付用帯部の先端を折り返して重合させてパット部を形成して装着することを特徴とする膝関節用サポータ。
【請求項２】
各締付用帯部の先端を折り返して重合させて形成するパット部を、各締付用帯部の先端を内側に折り返して先端内面の面ファスナー雄部を先端より基端側内面に設けた面ファスナー雌部に係止して形成した請求項１に記載の膝関節用サポータ。
【請求項３】
巻きつけ方向に伸縮を付与させた請求項１又は２に記載の膝関節用サポータ。
【請求項４】
巻きつけ方向に伸縮を付与する手段が背面帯本体を伸縮ある網目生地よりなるものとした請求項３に記載の膝関節用サポータ。
【請求項５】
巻きつけ方向に伸縮を付与する手段が背面帯本体を伸縮ある網目生地よりなるものと、締付用帯部を弾性生地よりなるものとした請求項３に記載の膝関節用サポータ。
【請求項６】
背面帯本体の両側に膝の上下に巻きつける締付用帯部を上下及び左右において対称として二股状に連設した請求項１―５の何れか１項に記載の膝関節用サポータ。
【発明の詳細な説明】
【技術分野】
【０００１】
本発明は、膝関節に装着して歩行および膝の持ち上げを容易とすることができ、また、装着も容易な膝関節用サポータに関するものである。
【背景技術】
【０００２】
膝関節用サポータとしては、膝の後部に添装する後部帯部の両側から膝の上下の大腿下部と脛上部を囲装して締付固定する締付用帯部を二股状に連設して、屈曲時に膝蓋骨が突出できる開口が形成できるものが知れている（例えば、特許文献１、２参照）。
【０００３】
前記した膝関節用サポータは膝への装着は容易であるが、膝の上下の大腿下部と脛上部を締付固定して装着するため、装着時において的確な締付固定をおこなっても歩行、屈伸動作により締付用帯部がずれて所期の締付固定の効果が発揮できないという問題がある。
【先行技術文献】
【特許文献】
【０００４】
【特許文献１】特開２００１−１７４６２号公報
【特許文献２】特開平８−１６４１５０号公報
【発明の概要】
【発明が解決しようとする課題】
【０００５】
本発明は前記したような問題を解決して、装着が容易であり、且つ歩行、屈伸動作によっても締付用帯部がずれることのない膝関節用サポータを提供するものである。
【課題を解決するための手段】
【０００６】
前記した課題を解決した本発明の膝関節用サポータは、背面帯本体の両側に膝の上下に巻きつける締付用帯部を二股状に連設して、前記各締付用帯部の先端内面に面ファスナー雄部を設けて、また、各締付用帯部の外面側には前記面ファスナー雄部が係止できる面ファスナー雌部を形成して、膝の上下において夫々向かい合う締付用帯部の先端側を重ね合わせて、外側に重ねた締付用帯部の先端内面に設けた面ファスナー雄部を内側に重ねた締付用帯部の外面側に形成した面ファスナー雌部に係止して装着する膝関節用サポータであって、前記各締付用帯部の先端を折り返して重合させてパット部を形成できるものとして、前記内側に重ね合わせた締付用帯部の先端を折り返して重合させてパット部を形成して装着することを特徴とするものである。
【０００７】
また、各締付用帯部の先端を折り返して重合させて形成するパット部を、各締付用帯部の先端を内側に折り返して先端内面の面ファスナー雄部を先端より基端側内面に設けた面ファスナー雌部に係止して形成することが好ましい。
【０００８】
また、巻きつけ方向に伸縮を付与させることが好ましい。この巻きつけ方向に伸縮を付与する手段が背面帯本体を伸縮ある網目生地よりなるものとしても、背面帯本体を伸縮ある網目生地よりなるものと、締付用帯部を弾性生地よりなるものとしてもよい。
【０００９】
さらに、背面帯本体の両側に膝の上下に巻きつける締付用帯部を上下及び左右において対称として二股状に連設することが好ましい。
【発明の効果】
【００１０】
前記のような本発明の膝関節用サポータは、左右どちらの脚であっても、該膝関節用サポータの表裏のみを確認するだけで、上下及び左右の方向性を確認することなく容易に装着ができるものである。
【００１１】
そして、各締付用帯部の先端を折り返して重合させてパット部を形成できるものとしているので、内側に重ねた締付用帯部の先端を折り返して重合させてパット部を形成して、膝の上方において内側に重ねた締付用帯部に形成されたパッド部を膝蓋骨の上方と膝の上の大腿骨の一方の側方との位置に合わせて、また、膝の下方において内側に重ねた締付用帯部に形成されたパッド部を膝蓋骨の下方と膝の下の脛骨の一方の側方との位置に合わせ装着する。
【００１２】
そうすれば、上側のパッド部の下端は膝蓋骨の上縁部に当接して、また、下側のパッド部の上端は膝蓋骨の下縁部に当接することとなる。これにより、膝の上部において締付固定している締付用帯部膝は下側にずれることはないものである。また、膝の下部において締付固定している締付用帯部膝は上側にずれることはないものである。従って、歩行、屈伸動作によっても締付用帯部がずれることがなく的確な締付固定を持続できるものである。
【００１３】
また、各締付用帯部の先端を折り返して重合させて形成するパット部を、各締付用帯部の先端を内側に折り返して先端内面の面ファスナー雄部を先端より基端側内面に設けた面ファスナー雌部に係止して形成するものとすると、パット部は面ファスナー雄部と面ファスナー雌部の係止により任意の幅で形成でき、また、そのパッド形状を維持するので手指で保持する必要がないので装着も容易なものとなる。
【００１４】
また、巻きつけ方向に伸縮を付与させることにより、面ファスナー雄部、雌部による係止位置を任意とすることと相俟って装着者の適した締め付けで容易に装着できるものである。
【図面の簡単な説明】
【００１５】
【図１】本発明に係る膝関節用サポータを示す正面図である。
【図２】本発明に係る膝関節用サポータを示す背面図である。
【図３】本発明に係る膝関節用サポータを締付用帯部の先端を内側に折り返してパッド部を形成する一例を示す正面図である。
【図４】本発明に係る膝関節用サポータの装着例の一例を示す斜視図である。
【図５】本発明に係る膝関節用サポータの装着過程の一例を示す斜視図である。
【図６】本発明に係る膝関節用サポータを締付用帯部の先端を内側に折り返してパッド部を形成する他例１を示す正面図である。
【図７】本発明に係る膝関節用サポータを締付用帯部の先端を内側に折り返してパッド部を形成する他例２を示す正面図である。
【図８】本発明に係る膝関節用サポータを締付用帯部の先端を内側に折り返してパッド部を形成する他例３を示す正面図である。
【発明を実施するための形態】
【００１６】
本発明に係る膝関節用サポータの好ましい実施の形態を図面に基づき説明する。
【００１７】
図１、図２において、１は膝装着時に膝裏に添装する背面帯本体である。該背面帯本体１の両側には二股状に膝の上下に巻きつける締付用帯部２を連設してある。すなわち、図示のとおり背面帯本体１の両側には夫々上下に２本づつの締付用帯部２、２が上下夫々において対向するように計４本が連設されている。また、背面帯本体１の両側に膝の上下に巻きつける締付用帯部２を上下及び左右において対称として二股状に連設している。
【００１８】
そして、前記膝の上下に巻きつける各締付用帯部２の先端内面に面ファスナー雄部３を設けてあり、また、各締付用帯部２の外面側には前記面ファスナー雄部３が係止できる面ファスナー雌部４が形成してあり、膝の上下において夫々向かい合う締付用帯部２、２の先端側を重ね合わせて、外側に重ねた締付用帯部２の先端内面に設けた面ファスナー雄部３を内側に重ねた締付用帯部２の外面側に設けた面ファスナー雌部４に係止して装着するものである。なお、前記面ファスナー雌部４は締付用帯部２の外面側を表面が無数のループを形成したパイル生地２１ｂよりなるものとしている。
【００１９】
また、前記各締付用帯部２の先端は折り返して重合させてパット部２０を形成できるものとしている。これにより、膝の上下において向かい合う締付用帯部２、２の先端側を重ね合わせる際に内側に重ね合わされることとなる締付用帯部２の先端を折り返して重合させてパット部２０を形成して装着することができるものである。この場合、左右の膝に上下方向を確認することなく装着できるものである。特に、背面帯本体１の両側に膝の上下に巻きつける締付用帯部２を上下及び左右において対称として二股状に連設していればなおさらである。
【００２０】
次に、このように構成された膝関節用サポータの装着例を図３、図４及び図５により説明する。この装着例は右脚の膝に装着した状態を示ものであるが、左脚の膝への装着であっても同様である。
【００２１】
先ず、図３を正面視して示すよう、膝蓋骨（イ）の上方と膝の上の大腿骨の一方の側方である外側に位置させるパット部２０（２０ａ）を左上の締付用帯部２の先端を折り返して重合させて形成して、また、膝蓋骨（イ）の下方と膝の下の脛骨の一方の側方である内側に位置させるパッド部２０（２０ｂ）を右下の締付用帯部２の先端を折り返して重合させて形成する。なお、これらパット部２０（２０ａ）、２０（２０ｂ）は膝に装着時に形成してもよい。
【００２２】
続いて、図４に示すように背面帯本体１を膝裏に添装して、膝の上方において内側に重ねることとなる締付用帯部２に形成されたパッド部２０（２０ａ）を膝蓋骨（イ）の上方と膝の上の大腿骨の一方の側方である外側との位置に合わせて、また、膝の下方において内側に重ねることとなるた締付用帯部２に形成されたパッド部２０（２０ｂ）を膝蓋骨（イ）の下方と膝の下の脛骨の一方の側方である内側との位置に合わせる。そして、外側に重ねた締付用帯部２の先端内面に設けた面ファスナー雄部３を内側に重ねた締付用帯部２の外面側に設けた面ファスナー雌部４に係止して装着する。
【００２３】
そうすれば、上側のパッド部２０（２０ａ）の下端は膝蓋骨（イ）の上縁部に当接して、また、下側のパッド部２０（２０ｂ）の上端は膝蓋骨（イ）の下縁部に当接することとなる。これにより、上側のパッド部２０（２０ａ）を形成した内側に重ねた締付用帯部２と該締付用帯部２に外側になるように重ねあわせて面ファスナー雄部３を面ファスナー雌部４に係止した締付用帯部２は膝の下側にずれることはないものである。また、下側のパッド部２０（２０ｂ）を形成した内側に重ねた締付用帯部２と該締付用帯部２に外側になるように重ねあわせて面ファスナー雄部３を面ファスナー雌部４に係止した締付用帯部２は膝の上側にずれることはないものである。従って、歩行、屈伸動作によっても締付用帯部２がずれることがなく的確な締付固定を持続できるものである。
【００２４】
また、この実施形態ではパット部２０を、各締付用帯部２の先端を内側に折り返して先端内面の面ファスナー雄部３を先端より締付用帯部２の基端側内面に設けた面ファスナー雌部５に係止して形成される重合部よりなるものとしている。これにより、パット部２０は面ファスナー雄部３と面ファスナー雌部５の係止により任意の幅で形成でき、また、そのパッド形状を維持するので手指で保持する必要がないので装着も容易なものものとなる。さらに、装着時に使用しない膝の上下において互いに重なり合う内側に重ね合わせた締付用帯部２の先端内面に形成した面ファスナー雄部３を有効に利用できるものでもある。
【００２５】
また、前記背面帯本体１とこれに連設した締付用帯部２よりなる全体には巻きつけ方向に伸縮を付与する手段を備えたものとしている。具体的には前記背面帯本体１を伸縮ある網目生地よりなるものとするとともに締付用帯部２を弾性生地よりなるものとしている。なお、背面帯本体１と締付用帯部２のどちらか一方のみを伸縮あるものとして、全体に巻きつけ方向に伸縮を付与するものとしてもよい。
【００２６】
また、この実施形態では膝装着時に膝裏に添装する背面帯本体１を伸縮ある網目生地よりなるものとしているので、通気性に優れており汗のかき易い膝裏が蒸れることを防止できるものである。
【００２７】
さらに、この実施形態では背面帯本体１の両側に二股状に連設した締付用帯部２と該締付用帯部２の二股基端部２ａは裏面側に遠赤外線放射パウダーを点状に練りこんだ銅繊維糸よりなる編地２１ａと、表面側にパイル生地２１ｂをパイル面を表として重ねて周縁を伸縮性の布で縁取り縫製したものである。そして、各締付用帯部２の先端内面に面ファスナー雄部３を逢着し、締付用帯部２の先端より基端側内面に設けた面ファスナー雌部５となるパイル生地２１ｂを逢着したものである。
【００２８】
前記したように、締付用帯部２と該締付用帯部２の二股基端部２ａを、肌が接する裏面側に遠赤外線放射パウダーを点状に練りこんだ銅繊維糸よりなる編地２１ａとしたこにより、銅による制菌防臭効果を発揮するとともに遠赤外線放射パウダーによる膝を暖める効果も奏するものである。
【００２９】
また、上側のパッド部２０（２０ａ）と下側のパッド部２０（２０ｂ）は、図６において正面視して、右上の締付用帯部２と左下の締付用帯部２に形成することもでき、また、図７において正面視して、左上の締付用帯部２と左下の締付用帯部２に形成することもでき、さらには、図８において正面視して、右上の締付用帯部２と右下の締付用帯部２に形成することもできるものである。これにより、装着者において膝蓋骨（イ）の上方と膝の上の大腿骨の側方の任意の一方に、また、膝蓋骨（イ）の下方と膝の下の脛骨の側方の任意の一方にパット部２０（２０ａ）とパット部２０（２０ｂ）を位置させることができるものである。
【符号の説明】
【００３０】
１  背面帯本体
２  締付用帯部
３  面ファスナー雄部
４  面ファスナー雌部
５  面ファスナー雌部
20  パッド部
【図１】
2014061139.tif 000003
【図２】
2014061139.tif 000004
【図３】
2014061139.tif 000005
【図４】
2014061139.tif 000006
【図５】
2014061139.tif 000007
【図６】
2014061139.tif 000008
【図７】
2014061139.tif 000009
【図８】
2014061139.tif 000010